(57)【特許請求の範囲】
【請求項１】
定期点検又は定期メンテナンスを要する部品を内蔵した室内機に開閉可能に設けられた複数の意匠パネルと、前記意匠パネルの内側に設けられ、当該意匠パネルよりも小さな内パネルとを備え、
前記意匠パネルは風路スペースおよび定期点検又は定期メンテナンスを要する部品を収納する収納スペースを覆うと共に、前記内パネルは前記収納スペースを開放し、前記風路スペースを覆うことを特徴とする空気調和装置。
【発明の詳細な説明】
【０００１】
【発明の属する技術分野】
この発明は定期点検又は定期メンテナンスを要する空気調和装置に関するものであり、空調運転を継続しながら点検又はメンテナンスを可能にする構成に関するものである。
【０００２】
【従来の技術】
従来コンピュータなどを設置した部屋を冷却する空気調和装置では、単位面積あたりのコンピュータの発熱量が小さく、空調負荷は0.3から0.4ｋW/ｍ2であった。しかし、最近のインタ-ネット・デ−ター・センターなどに代表されるようにICの高集積化が進んだ結果、コンピュ−タの高性能化が進展し、小型で高性能なコンピュ−タが主流となった。このようなサ−バ−をひとつのキャビネットラックにできるだけ多く収納しようとする結果、単位面積あたりの発熱量は1.5から2.0ｋW/ｍ2と非常に大きく、1台の空気調和装置の占める負荷は大きくなってきた。
【０００３】
このような状況下で、定期点検や万が一の故障部品のメンテナンス時に1台といえども空気調和装置の機能を停止させることは、コンピュ−タなどへの影響が甚大なものとなり、定期点検やメンテナンスを想定して、バックアップのために空気調和装置の台数を増やさなければならないなどの問題が生じる。
そのため、定期点検やメンテナンス時においても、可能な限り運転を継続できる空気調和装置の必要性が高まっている。
【０００４】
ところが、図１０に示す従来の空気調和装置では、室内熱交換器６、吸込口、吹出口で形成される風路１ａ内に送風ファン用モータ１２や制御器である制御ＢＯＸ１３、冷媒回路部品（絞り装置５、冷媒分配用ヘッダ６ａ、温度検出装置６ｂ）などが存在するために、図１１に示すようにメンテナンス時に意匠パネル２４を開けてしまうと不必要に空調機能を低下させてしまう。たとえば、モータ１２の運転状態を点検（電流値、回転数測定など）するだけのために意匠パネル２４を開けてしまうと、開口部より風がバイパスし、冷却効果が低減する。
【０００５】
この発明は上記のような課題を解決するためになされたもので、空調運転を継続しながら点検やメンテナンスが可能な空気調和装置を得ることを目的とする。
また、意匠パネルの制約を緩和できる空気調和装置を得ることを目的とする。
【０００６】
【課題を解決するための手段】
この発明に係る空気調和装置は、空調運転状態のまま風路抵抗を大きくすることなく点検又はメンテナンスが可能な位置に定期点検又は定期メンテナンスを要する部品を配設した室内機を備えたものである。
【０００７】
また、空調運転状態のまま空調能力を低下させることなく点検又はメンテナンスが可能な位置に定期点検又は定期メンテナンスを要する部品を配設した室内機を備えたものである。
【０００８】
また、前記室内機は被空調空気を吸い込む吸込口と、調和空気を吹き出す吹出口とを備え、これら吸込口および吹出口は空調対象物と風路で結ばれているものである。
【０００９】
また、定期点検又は定期メンテナンスを要する部品を内蔵した室内機に開閉可能に設けられた複数の意匠パネルと、前記意匠パネルの内側に設けられ、当該意匠パネルよりも小さな内パネルとを備えたものである。
【００１０】
また、意匠パネルは風路スペースおよび定期点検又は定期メンテナンスを要する部品を収納する収納スペースを覆うと共に、内パネルは前記収納スペースを開放し、前記風路スペースを覆うものである。
【００１１】
【発明の実施の形態】
実施の形態１．
以下、この発明の実施の形態を図について説明する。図１はこの発明の空気調和装置の冷媒回路などの構成を示す回路図で、図１において、１はサーバーなどの発熱体が設置された室内に設置される室内機、２は屋外に設置される室外機、３は冷媒流を発生させる圧縮機、４は冷媒と室外空気との間で熱交換を行なう室外熱交換器、５は電子式膨張弁である絞り装置、６は冷媒と室内空気との間で熱交換を行なう室内熱交換器、７は冷媒量の調節が可能なアキュムレータ、８はこれら圧縮機３、室外熱交換器４、絞り装置５、室内熱交換器６、アキュムレータ８および圧縮機３をこの順に順次接続する冷媒配管で、これらによって冷凍サイクルが形成される。この冷凍サイクルにおいて、室外熱交換器４は凝縮器として、室内熱交換器６は蒸発器として作用する。尚、本実施の形態では冷媒には非共沸混合冷媒であるＲ４０７Ｃが使用されているが、擬似共沸混合冷媒であるＲ４１０Ａや可燃性冷媒であるＲ３２等を用いてもよい。
【００１２】
９は室外熱交換器４を通過する空気流を発生させる送風ファンで、本実施の形態ではプロペラファンである。１０は送風ファン９を駆動するモータである。１１は室内熱交換器６を通過する空気流を発生させる送風ファンで、本実施の形態では遠心ファンである。１２は送風ファン１１を駆動するモータである。１３ａは絞り装置５の開閉および開度、モータ１２の回転速度を制御する制御装置で後述する制御ボックス１３内に収納させている。１４は圧縮機３の回転速度、モータ１０の回転速度を制御する制御装置である。そして、絞り装置５、室内熱交換器６、送風ファン１１、モータ１２および制御装置１３ａは室内機１内に設けられ、圧縮機３、室外熱交換器４、アキュムレータ７、送風ファン９、モータ１０、制御装置１４は室外機２に設けられている。
【００１３】
図２は空気調和装置を建物に設置した状態を示す概念図である。図２において、室内１５の床下は床下ダクト１７が配設され、同様に室内１５の天井裏には天井ダクト１６が配設されている。サーバー等の発熱体はこの床下ダクト１７に開口した吹出穴上に設置され、発熱体の上方には天井ダクト１６に開口した吸込穴が形成されている。室内機１は床下ダクト１７に開口した吸込穴上に設置され、室内機１の上方には天井ダクト１６に開口した吹出穴が形成されている。このようにして床下ダクト１７は室内機１底面に形成された吹出口と発熱体とを結び、冷却空気を発熱体に給気すると共に、天井ダクト１６によって発熱体と室内機１天面に形成された吸込口とを結び、発熱体によって加熱された室内空気を室内機１に取り込んでいる。
【００１４】
室外機２は建物の屋上１８に設置されている。尚、室内機１および室外機２は発熱体の数や発熱量に合わせて複数台設置され、室内機１と室外機２とは冷媒配管８によって接続されている。
天井ダクト１６は吸込穴に比較的目の粗いフィルタ１９が取付けられている。
また、室内機１天面の吸込口には比較的目の細かいフィルタ２０が着脱可能に取付けられている。
発熱体は単位面積あたりの発熱量が1.5から2.0ｋW/ｍ2と非常に大きく、常時稼動しているインタ-ネット・デ−ター・センターのサーバで、キャビネットに固定されて、高さ方向に複数段積層されたものである。
【００１５】
図３は室内機１の内部構造を模式的に示した（ａ）正面図、（ｂ）Ａ−Ａ断面図である。図３において、２１は室内機１内を風路１ａとメンテナンススペース１ｂとに隔絶する仕切板で、風路１ａは室内機１の天面に吸込口が、底面に吹出口が開口され、吸込口から吹出口に向かって熱交換器６、熱交換器６に結露するドレン水を回収するドレンパン２２、送風ファン１１が内設されている。メンテナンススペース１ｂには絞り装置５、冷媒配管８、送風ファン１１と駆動軸を介して接続されたモータ１２、制御ＢＯＸ１３およびドレンパン２２に接続され、ドレン水を外部に排水するためのドレン配管２３が内設されている。
【００１６】
仕切板１５には風路１ａ側の熱交換器６とメンテナンススペース１ｂ側の絞り装置５および冷媒配管８とを接続するため、熱交換器６の側部であるサイドプレートをメンテナンススペース１ｂ側に貫通させる熱交換器用開口部２１ａで、これによって熱交換器６側面に設置される冷媒分配用ヘッダ６ａや温度検出装置６ｂ、絞り装置５をメンテナンススペース１ｂ側へ配置し、風路１ａから切り離している。ドレンパン２２からメンテナンススペース１ｂ側へドレンホース２３を関数させるドレンホース用開口部２１ｂ、モータ１２の駆動軸を送風ファン１１と接続するため、駆動軸を貫通させる軸用開口部２１ｃが形成され、これら各開口部は各構成を貫通後気密状態になるよう施される。
【００１７】
熱交換器６は逆「ハ」の字状に配置され、室内機１天面の吸込口から吸い込まれた室内空気は中央から熱交換器６を通過して前側および背面側へ流れ、ファン１１を通って底面の吹出口から床下ダクト１７へと流れる。
メンテナンススペース１ｂに配設された絞り装置５、モータ１２、ドレンホース２３は定期点検が必要な部品である。また、風路１ａの吸込口に装着されたフィルタ２０は定期メンテナンスが必要な部品であり、空気調和装置が空調運転状態にあっても室内機１外側から着脱可能な構造となっている。
【００１８】
図４は室内機１の正面図で、（ａ）は意匠パネル２４ａを閉状態にして風路１ａを覆い、メンテナンススペース１ｂの意匠パネル２４ｂを外し開状態にしてメンテナンススペース１ｂを露出させた状態、（ｂ）は意匠パネル２４ａおよび２４ｂを閉状態にして風路１ａおよびメンテナンススペース１ｂを覆った状態を示している。尚、上述した図３（ａ）は意匠パネル２４ａおよび２４ｂを外し開状態にして風路１ａおよびメンテナンススペース１ｂを露出させた状態を示している。意匠パネル２４ａおよび２４ｂは四角形で閉状態では四隅をネジ留めし、このネジを外すことでパネルを外し開状態にする。
【００１９】
風路１ａはメンテナンススペース１ｂよりも容積が大きく、それぞれが高さおよび奥行寸法を同じにする直方体の部屋構造なので、正面視においても風路１ａの方がメンテナンススペース１ｂより幅広になっている。このため、風路１ａを覆う意匠パネル２４ａの幅はメンテナンススペース１ｂを覆う意匠パネル２４ｂよりも幅広である。意匠パネル２４ａは閉状態において室内機１の筐体および仕切板２１の前端面と気密性を保持して密着している。
【００２０】
上記のように構成された空気調和装置においては、室内機１の定期点検時又は定期メンテナンス時に空調運転を停止する必要はなく、通常とおり運転する。サービスマンは定期点検又は定期メンテナンスにあたって意匠パネル２４ｂのみ取り外し、モータ１２、絞り装置５、冷媒分配用ヘッダ６ａ、温度検出装置、冷媒配管８およびドレン配管２３の状態を確認する。確認の結果特に異常がなければ、意匠パネル２４ｂを閉じる。メンテナンスが必要なフィルタ２０については、空調運転状態のままフィルタ２０を室内機１外部から取り外し、フィルタ２０の清掃又は交換を行なう。フィルタ２０を取り外しても風路の圧力損失が大きくなることはないので、空調能力を低下させることはない。
【００２１】
上記構成によれば、意匠パネル２４ａは風路１ａ気密を保持したままの閉状態で点検またはメンテナンス作業が行なえるので、意匠パネルの開閉によって風路１ａがバイパスされることを防止でき、定期点検や定期メンテナンス時でも空調能力を維持できる。点検対象又はメンテナンス対象の構成部品であって、異常が発見された場合には空調運転を停止して対象部品を交換したり修理する必要があるが、通常の定期点検や定期メンテナンスにおいては空調運転を継続したままで行なえるので、発熱体を停止させる必要がない。
【００２２】
本実施の形態では室内機天面吸込口から室内空気を吸い込み、熱交換した調和空気を室内機底面の吹出口から吹き出す構成について説明したが、正面又は底面吸い込みや天面吹き出しする構成であってもより。また、本実施の形態の室内機１は設置面積が小さくなるよう圧縮機、アキュムレータ等の冷媒回路構成部品を室外機２に搭載したスプリット方式について説明したが、冷媒回路部品を室内機に搭載したリモート方式であっても良い。但し、室内機はサーバー等の発熱体と同室に設置されている場合が多く、室の開放や室内環境などの制約条件が多いのに対し、室外機は屋外に設置される場合が多く制約が少ないこと並びに定期点検又は定期メンテナンスの対象部品が室内機に集中すると、メンテナンススペースが大きくなり、室内機の容積が大きくなることから、スプリット方式が好適である。
【００２３】
本実施の形態のように空調対象物である発熱体と室内機１との間の吸込流、吹出流を天井ダクト１６および床下ダクト１７によって風路接続すれば、発熱体からの熱気や冷却された調和空気が室内１５全体に放出されにくくなり、室内１５が極端に熱くなったり寒くなったりすることを防止できる。その結果、発熱体および空気調和装置を運転状態のまま点検作業、メンテナンス作業を行なうサービスマンを過酷な温度環境に曝さないようにでき、作業性が向上する。尚、図２では天井ダクトと室内機の吸込口との間は若干の隙間によって室内の周囲空気を吸い込むように構成したが、天井ダクトを室内機の吸込口に接続してもよい。
【００２４】
実施の形態２．
図５はこの発明の空気調和装置の室内機における他の実施の形態を示す正面図で、（ａ）は意匠パネル２４ｃを閉状態にし、メンテナンススペース１ｂを覆う意匠パネル２４ｂを外し開状態にしてメンテナンススペース１ｂを露出させた状態、（ｂ）は意匠パネル２４ｃおよび２４ｄを閉状態にして風路１ａおよびメンテナンススペース１ｂを覆った状態を示している。図５において、２４ｃは室内機１の幅寸法の略１／２の幅寸法を有し、風路１ａの前面に配されて風路１ａの一部を覆う左側の意匠パネル、２４ｄは室内機１の幅寸法の略１／２の幅寸法を有し、風路１ａの残り部分（室内機１正面において右半分にかかる部分）とメンテナンススペース１ｂを覆う右側の意匠パネル、２５は意匠パネル２４ｄの内側に設けられ、意匠パネル２４ｃで覆いきれない風路１ａの残り部分を覆う中パネルである。
【００２５】
中パネル２５は閉状態においてその右端部が仕切板２１の前端面と気密性を保持して密着し、その上下端部が室内機１の筐体上下と気密性を保持して密着している。また、中パネル２５および意匠パネル２４ｃは閉状態において隣接する端部が密着し、併せて風路１ａを気密状態に保持している。意匠パネル２４ｃおよび２４ｄは同一形状または左右対称形状に形成され、それぞれの四隅が室内機１筐体にネジ留めされることで閉状態となり、ネジを外すことでパネルを外し開状態になる。本実施の形態では意匠パネル２４ｃと２４ｄは同一形状である。
【００２６】
上記のような構成により、風路１ａとメンテナンススペース１ｂやその内部部品のレイアウトによって意匠パネル形状が制約されにくくなる。この結果、意匠パネルサイズの自由度が上がり、意匠的に見栄えが良く、パネルを大きくしなくても済むからコスト低減が可能で工作性も良い。特に本実施の形態では意匠パネル２４ｃ、と２４ｄが同一形状なので共通化によるコスト削減効果が期待でき、２枚パネルの場合、何れのパネルも室内機幅寸法の半分以下にできる。大型パネルにしないで済むので、パネルの振動抑制も図れる。
【００２７】
実施の形態３．
図６はこの発明の空気調和装置の他の実施の形態における室内機の内部構造を模式的に示した（ａ）正面図、（ｂ）左側面図、（ｃ）Ａ−Ａ断面図である。図６において、仕切板２１はＡ−Ａ断面を示す一点鎖線に沿った形状であり、上部垂直面とこの上部垂直面下端から左方に延設した水平面とこの水平面の左端から下方に延設し室内機１の幅方向ほぼ中間に位置する下部垂直面とからなる矩形状である。この仕切板２１により、風路１ａは上部が広く下部が狭く形成されると共にメンテナンススペース１ｂは逆に上部が狭く下部が広く形成される。上部の広い風路１ａには幅方向略いっぱいに室内熱交換器６が配置され、下部の狭い風路１ａにはファン１１が配設されている。尚、風路１ａの吸込口も上部の風路幅に合わせて開口している。
【００２８】
メンテナンススペース１ｂの上部には室内熱交換器６に付随してその側部に設けられ、比較的幅が小さい冷媒分配用ヘッダ６ａや温度検出装置、絞り装置５が配置され、下部の広いスペースにはファン１１と駆動軸で接続され、比較的幅の大きなモータ１２や基板などが収納された制御ＢＯＸ１３が配置されている。このように風路１ａで幅方向に大きな部品とメンテナンススペース１ｂで幅方向に小さな部品を横方向に配置し、風路１ａで幅方向に小さな部品とメンテナンススペース１ｂで幅方向に大きな部品を横方向に配置することで、室内機１全体の幅方向がコンパクトにまとめられている。
【００２９】
また、制御ＢＯＸ１３は基板等を収納していることから、基板を奥行方向に配置すれば制御ＢＯＸ１３の幅方向を小さくできるが、点検時にサービスマンから見づらくなる。そこで、下部の幅方向に広いメンテナンススペースに制御ＢＯＸ１３を配置することで、基板を室内機１の幅方向に配置し、幅広な制御ＢＯＸとなっても室内機１は幅方向にコンパクトに収めることが可能になる。
【００３０】
仕切板２１の水平面は室内熱交換器６の右側を通過した空気流をファン１１へと導くガイドの役割も果たす。空気流をより円滑に導くために仕切板２１の水平面を左（ファン１１側）に向かって低くなるよう形成しても良い。また、ドレン配管２３をメンテナンススペース１ｂに引出すため、ドレンパン２２の底面を右側に傾斜させ、右端にドレン配管２３を接続すればドレン配管２３が短くて効率的である。このドレンパン２２の傾斜に合わせて仕切板２１の水平面を右に向かって低くなるよう形成しても良い。また、ドレン配管２３を仕切板２１の水平面を貫通させてメンテナンススペース１ｂに引き出すようにしても良い。
【００３１】
図７は図６の室内機１の正面図で、（ａ）は意匠パネル２４ｃを閉状態にし、メンテナンススペース１ｂを覆う意匠パネル２４ｂを外し開状態にしてメンテナンススペース１ｂを露出させた状態、（ｂ）は意匠パネル２４ｃおよび２４ｄを閉状態にして風路１ａおよびメンテナンススペース１ｂを覆った状態を示している。中パネル２５は室内機１の幅方向中間よりも右側にはみ出した風路１ａの上部スペースを覆っている。その他のパネル構成は実施の形態２と同様である。
【００３２】
上記のような構成により、風路１ａとメンテナンススペース１ｂやその内部部品のレイアウトによって意匠パネル形状が制約されにくくなる。この結果、意匠パネルサイズの自由度が上がり、意匠的に見栄えが良く、パネルを大きくしなくても済むからコスト低減が可能で工作性も良い。特に本実施の形態では意匠パネル２４ｃ、と２４ｄが同一形状なので共通化によるコスト削減効果が期待でき、２枚パネルの場合、何れのパネルも室内機幅寸法の半分以下にできる。大型パネルにしないで済むので、パネルの振動抑制も図れる。
【００３３】
実施の形態４．
図８はこの発明の空気調和装置の他の実施の形態における室内機の内部構造を模式的に示した（ａ）正面図、（ｂ）左側面図、（ｃ）Ａ−Ａ断面図である。図８において、仕切板２１はＡ−Ａ断面を示す一点鎖線に沿った形状であり、上部垂直面とこの上部垂直面下端から前方が高い段差を有して左方に延設した水平面とこの水平面の左端から下方に延設し室内機１の幅方向ほぼ中間に位置する下部垂直面と、段違いの水平面同士（より厳密には前側水平面の後縁と後側水平面の前縁）を連結し上部が室内熱交換器６の傾斜に沿って前傾した連結面とからなる。
【００３４】
この仕切板２１により、風路１ａは上部および中部後側が広く、中部前側および下部が狭く形成されると共にメンテナンススペース１ｂは逆に上部および中部後側が狭く中部前側および下部が広く形成される。上部および中部後側の広い風路１ａには前傾した室内熱交換器６がその下部右側を風路の中部後側のスペースにまでおよんで幅方向略いっぱいに配置され、中部左側および下部の狭い風路１ａにはファン１１が配設されている。尚、風路１ａの吸込口も上部の風路幅に合わせて開口している。
【００３５】
メンテナンススペース１ｂの上部には室内熱交換器６に付随してその側部に設けられ、比較的幅が小さい冷媒分配用ヘッダ６ａや温度検出装置、絞り装置５が配置され、中部前側の広いスペースにはファン１１と駆動軸で接続され、比較的幅の大きなモータ１２が配置され、下部の広いスペースには基板などが収納された制御ＢＯＸ１３が配置されている。このように風路１ａで幅方向に大きな部品とメンテナンススペース１ｂで幅方向に小さな部品を横方向に配置し、風路１ａで幅方向に小さな部品とメンテナンススペース１ｂで幅方向に大きな部品を横方向に配置すると共に、室内機１中部では、後側を風路スペースとすることで室内熱交換器１の収納高さを確保していることで、室内機１全体の幅および高さ方向がコンパクトにまとめられている。
【００３６】
また、制御ＢＯＸ１３は基板等を収納していることから、基板を奥行方向に配置すれば制御ＢＯＸ１３の幅方向を小さくできるが、点検時にサービスマンから見づらくなる。そこで、下部の幅方向に広いメンテナンススペースに制御ＢＯＸ１３を配置することで、基板を室内機１の幅方向に配置し、幅広な制御ＢＯＸとなっても室内機１は幅方向にコンパクトに収めることが可能になる。
【００３７】
仕切板２１の各水平面は室内熱交換器６の右側を通過した空気流をファン１１へと導くガイドの役割も果たす。空気流をより円滑に導くために仕切板２１の水平面を左（ファン１１側）に向かって低くなるよう形成しても良い。また、ドレン配管２３をメンテナンススペース１ｂに引出すため、ドレンパン２２の底面を右側に傾斜させ、右端にドレン配管２３を接続すればドレン配管２３が短くて効率的である。このドレンパン２２の傾斜に合わせて仕切板２１の後側水平面を右に向かって低くなるよう形成しても良い。また、ドレン配管２３は仕切板２１の後側水平面を貫通させてメンテナンススペース１ｂに引き出しているが、上部垂直面を貫通させても良い。
【００３８】
室内機中部の後側を風路１ａとし、前側をメンテナンススペース１ｂとすることで、サービス面である室内機１正面に開口するメンテナンススペースを広く確保できる。また、室内機熱交換器６を実施の形態１〜３のようなＶ字状から前傾したＩ字状にすることで、ドレンパンを中部後側のスペースに集約でき、モータとドレンパン、ドレン配管を前後方向に配置することが可能になる。
【００３９】
図９は図８の室内機１の正面図で、（ａ）は意匠パネル２４ｃを閉状態にし、メンテナンススペース１ｂを覆う意匠パネル２４ｂを外し開状態にしてメンテナンススペース１ｂを露出させた状態、（ｂ）は意匠パネル２４ｃおよび２４ｄを閉状態にして風路１ａおよびメンテナンススペース１ｂを覆った状態を示している。中パネル２５は室内機１の幅方向中間よりも右側にはみ出した風路１ａの上部スペースを覆っている。その他のパネル構成は実施の形態３と同様である。
【００４０】
上記のような構成により、風路１ａとメンテナンススペース１ｂやその内部部品のレイアウトによって意匠パネル形状が制約されにくくなる。この結果、意匠パネルサイズの自由度が上がり、意匠的に見栄えが良く、パネルを大きくしなくても済むからコスト低減が可能で工作性も良い。特に本実施の形態では意匠パネル２４ｃと２４ｄが同一形状なので共通化によるコスト削減効果が期待でき、２枚パネルの場合、何れのパネルも室内機幅寸法の半分以下にできる。大型パネルにしないで済むので、パネルの振動抑制も図れる。また、右側にはみ出した風路１ａの容積に比べ中パネルを小さくすることができる。
【００４１】
【発明の効果】
以上のようにこの発明によれば、空調運転状態のまま風路抵抗を大きくすることなく点検又はメンテナンスが可能な位置に定期点検又は定期メンテナンスを要する部品を配設した室内機を備えたので、風路抵抗を維持しながらの継続的な空調運転が可能になる。
【００４２】
また、空調運転状態のまま空調能力を低下させることなく点検又はメンテナンスが可能な位置に定期点検又は定期メンテナンスを要する部品を配設した室内機を備えたので、空調能力を維持しながらの継続的な空調運転が可能になる。
【００４３】
また、前記室内機は被空調空気を吸い込む吸込口と、調和空気を吹き出す吹出口とを備え、これら吸込口および吹出口は空調対象物と風路で結ばれているので、点検またはメンテナンス時の作業環境を良好にできる。
【００４４】
また、定期点検又は定期メンテナンスを要する部品を内蔵した室内機に開閉可能に設けられた複数の意匠パネルと、前記意匠パネルの内側に設けられ、当該意匠パネルよりも小さな内パネルとを備えたので、室内機のレイアウトの自由度が向上する。
【００４５】
また、意匠パネルは風路スペースおよび定期点検又は定期メンテナンスを要する部品を収納する収納スペースを覆うと共に、内パネルは前記収納スペースを開放し、前記風路スペースを覆うので、風路のレイアウトの自由度が向上する。
【図面の簡単な説明】
【図１】  この発明における空気調和装置の冷媒回路を示す回路図である。
【図２】  この発明の実施の形態１における空気調和装置を示す概念図である。
【図３】  この発明の実施の形態１における室内機の内部構造を模式的に示した（ａ）正面図、（ｂ）Ａ−Ａ断面図である。
【図４】  この発明の実施の形態１における（ａ）は意匠パネル２４ａを閉状態にし意匠パネル２４ｂを開状態にした状態を示す正面図、（ｂ）は意匠パネル２４ａおよび２４ｂを閉状態にした状態を示す正面図である。
【図５】  この発明の実施の形態２における（ａ）は意匠パネル２４ｃを閉状態にし意匠パネル２４ｄを開状態にした状態を示す正面図、（ｂ）は意匠パネル２４ｃおよび２４ｄを閉状態にした状態を示す正面図である。
【図６】  この発明の実施の形態３における室内機の内部構造を模式的に示した（ａ）正面図、（ｂ）左側面図、（ｃ）Ａ−Ａ断面図である。
【図７】  この発明の実施の形態３における（ａ）は意匠パネル２４ｃを閉状態にし意匠パネル２４ｄを開状態にした状態を示す正面図、（ｂ）は意匠パネル２４ｃおよび２４ｄを閉状態にした状態を示す正面図である。
【図８】  この発明の実施の形態４における室内機の内部構造を模式的に示した（ａ）正面図、（ｂ）左側面図、（ｃ）Ａ−Ａ断面図である。
【図９】  この発明の実施の形態４における（ａ）は意匠パネル２４ｃを閉状態にし意匠パネル２４ｄを開状態にした状態を示す正面図、（ｂ）は意匠パネル２４ｃおよび２４ｄを閉状態にした状態を示す正面図である。
【図１０】  従来の空気調和装置における室内機の内部構造を模式的に示した（ａ）正面図、（ｂ）Ａ−Ａ断面図である。
【図１１】  従来の空気調和装置における室内機の（ａ）は左側意匠パネルを閉状態にし右側意匠パネルを開状態にした状態を示す正面図、（ｂ）は意匠パネルを閉状態にした状態を示す正面図である。
【符号の説明】
１  室内機、１ａ  風路、  １ｂ  メンテナンススペース、  ２  室外機、  ５  絞り装置、  ６  室内熱交換器、６ａ  冷媒分配用ヘッダ、  １１  室内送風ファン、  １２  モータ、  １３  制御ＢＯＸ、  １５  室内、  １６  天井ダクト、  １７  床下ダクト、  １８  屋上、  ２０  フィルタ、  ２１  仕切板、  ２２ドレンパン、  ２３  ドレン配管、  ２４  意匠パネル、  ２５  中パネル。
【図１】
0004560967.tif 000002
【図２】
0004560967.tif 000003
【図３】
0004560967.tif 000004
【図４】
0004560967.tif 000005
【図５】
0004560967.tif 000006
【図６】
0004560967.tif 000007
【図７】
0004560967.tif 000008
【図８】
0004560967.tif 000009
【図９】
0004560967.tif 000010
【図１０】
0004560967.tif 000011
【図１１】
0004560967.tif 000012